(57)【要約】      （修正有）【課題】上下方向の小型化を実現できるとともに、供給部にシートをセットする作業を容易に実施できるシート搬送装置。【解決手段】シート搬送装置１は、シートを支持する支持面９１Ａを有する供給部９１と、供給部９１に支持されるシートを搬送経路に沿って搬送する搬送部４と、供給部９１よりも上方に設けられ、搬送部４によって搬送され、排出されるシートを支持する排出部９５と、を備える。排出部９５は、搬送部４から最も離れて位置し、支持面９１Ａとの間に間隔Ｗ１を有して上方から支持面９１Ａに対向する対向端部１２０Ｅと、対向端部１２０Ｅの少なくとも一部によって構成され、間隔Ｗ１を広げる方向Ｒ１に揺動可能な揺動部１２０と、を有している。【選択図】図５
2017128404.tif 000002
【特許請求の範囲】
【請求項１】
シートを支持する支持面を有する供給部と、
前記供給部に支持されるシートを搬送経路に沿って搬送する搬送部と、
前記供給部よりも上方に設けられ、前記搬送部によって搬送され、排出されるシートを支持する排出部と、を備え、
前記排出部は、前記搬送部から最も離れて位置し、前記支持面との間に間隔を有して上方から前記支持面に対向する対向端部と、
前記対向端部の少なくとも一部によって構成され、前記間隔を広げる方向に揺動可能な揺動部と、を有していることを特徴とするシート搬送装置。
【請求項２】
前記供給部における前記支持面から上方向に突出する壁であって、前記搬送部がシートを搬送する搬送方向に直交する幅方向に移動可能なガイド部と、
前記ガイド部の上端部に接続され、前記幅方向の中央部に向かって延び、前記排出部を構成する延出部と、をさらに備え、
前記揺動部は、前記延出部の少なくとも一部によって構成され、前記幅方向に平行な揺動軸心周りで揺動可能に、前記延出部の他部又は前記ガイド部に支持されている請求項１記載のシート搬送装置。
【請求項３】
前記ガイド部及び前記延出部は、前記供給部の前記支持面上における前記幅方向の一方と他方とに設けられ、
前記揺動部は、それぞれの前記延出部の少なくとも一部によって構成されている請求項２記載のシート搬送装置。
【請求項４】
前記供給部の前記支持面を前記幅方向から挟んで対向する一対の側壁をさらに備え、
前記揺動部は、前記搬送部がシートを搬送する搬送方向に直交する幅方向に延在する板部材であり、
前記板部材は、前記幅方向に平行な揺動軸心周りで揺動可能に前記両側壁に支持されている請求項１記載のシート搬送装置。
【請求項５】
前記揺動部を前記揺動軸心周りで揺動させることが可能に構成されたアクチュエータをさらに備え、
前記アクチュエータは、前記搬送部の停止時、前記間隔を広げる方向に前記揺動部を揺動させ、前記搬送部の作動時、前記間隔を広げる方向とは逆方向に前記揺動部を揺動させる請求項２乃至４のいずれか１項記載のシート搬送装置。
【請求項６】
前記揺動部は、前記搬送部に対して前記揺動軸心よりも接近した部分である第１部分と、
前記搬送部に対して前記揺動軸心よりも離れた部分であって前記対向端部の少なくとも一部を含む第２部分と、を有し、
待機状態において、前記揺動部は、前記第２部分が前記間隔を広げる方向に揺動すると共に、前記第１部分が前記供給部の前記支持面に接近する方向に揺動する第１位置にあり、
前記揺動部の前記第１部分には、前記供給部に支持されるシートが当接することにより、前記第１部分を前記第１位置よりも支持面から離間する第２位置に向かって揺動させる当接部が設けられている請求項２乃至４のいずれか１項記載のシート搬送装置。
【請求項７】
前記第１部分が前記第２部分よりも重く設定されている請求項６記載のシート搬送装置。
【請求項８】
前記揺動部に当接することにより、前記第１部分の前記第１位置への揺動量を規制する規制部をさらに備えている請求項６又は７記載のシート搬送装置。
【請求項９】
前記揺動部は、前記供給部の前記支持面に対向する対向面を含み、
前記対向面における前記対向端部の近傍には、前記搬送部に接近するにつれて前記供給部に接近するように延びる傾斜面が形成されている請求項１乃至８のいずれか１項記載のシート搬送装置。
【請求項１０】
前記搬送部に対して前記供給部及び前記排出部よりも離れた位置に設けられ、前記搬送部に搬送されるシートを前記供給部と共に支持し、かつ、前記搬送部によって排出されるシートを前記排出部と共に支持する支持部をさらに備えている請求項１乃至９のいずれか１項記載のシート搬送装置。
【請求項１１】
支持部は、前記排出部を上から覆う収容位置と、シートを支持可能な支持位置との間で変位可能に構成されている請求項１０記載のシート搬送装置。
【請求項１２】
前記搬送経路の途中に設けられ、前記搬送部によって搬送されるシートの画像を読み取る読取部をさらに備えている請求項１乃至１１のいずれか１項記載のシート搬送装置。
【発明の詳細な説明】
【技術分野】
【０００１】
本発明はシート搬送装置に関する。
【背景技術】
【０００２】
特許文献１に従来のシート搬送装置の一例であるスキャナユニットが開示されている。このスキャナユニットは、供給部としてのメイントレイ及びサブトレイと、原稿搬送機構と、排出部としての仕切り板とを備えている。
【０００３】
メイントレイ及びサブトレイは、それぞれの上面によって原稿を支持する。原稿搬送機構は、メイントレイ等に支持される原稿を搬送経路に沿って搬送する。仕切り板は、メイントレイ上に設けられた原稿ガイドの上端部に接続しており、メイントレイよりも上方に設けられている。仕切り板は、対向端部を含んでいる。対向端部は、原稿搬送機構の搬送経路における下流側の端部に位置し、メイントレイの上面との間に一定の間隔を有して上方からメイントレイの上面に対向している。
【０００４】
このスキャナユニットでは、ユーザがメイントレイ等に原稿をセットする際、仕切り板の対向端部とメイントレイの上面との間にその原稿を挿入する。そして、その原稿は、原稿搬送機構によって搬送され、仕切り板の上面に向かって排出される。
【先行技術文献】
【特許文献】
【０００５】
【特許文献１】特許第５５７９５８７号公報
【発明の概要】
【発明が解決しようとする課題】
【０００６】
ところで、上記従来のスキャナユニットでは、仕切り板の対向端部とメイントレイの上面との間隔を狭めることによって、上下方向の小型化が可能である。しかしながら、この場合には、ユーザが、仕切り板の対向端部とメイントレイの上面との間に原稿を挿入する際に、原稿が仕切り板の対向端部に引っ掛かり易くなるという問題がある。その結果、上記従来のスキャナユニットでは、上下方向の小型化と、メイントレイ等に原稿をセットする作業の容易化とを実現することが難しい。
【０００７】
本発明は、上記従来の実情に鑑みてなされたものであって、上下方向の小型化を実現できるとともに、供給部にシートをセットする作業を容易に実施できるシート搬送装置を提供することを目的とする。
【課題を解決するための手段】
【０００８】
本発明のシート搬送装置は、シートを支持する支持面を有する供給部と、
前記供給部に支持されるシートを搬送経路に沿って搬送する搬送部と、
前記供給部よりも上方に設けられ、前記搬送部によって搬送され、排出されるシートを支持する排出部と、を備え、
前記排出部は、前記搬送部から最も離れて位置し、前記支持面との間に間隔を有して上方から前記支持面に対向する対向端部と、
前記対向端部の少なくとも一部によって構成され、前記間隔を広げる方向に揺動可能な揺動部と、を有していることを特徴とする。
【０００９】
本発明のシート搬送装置では、排出部は、対向端部の少なくとも一部によって構成される揺動部を有している。そして、揺動部が排出部の対向端部と供給部の支持面との間隔を広げる方向に揺動した状態では、排出部の対向端部の少なくとも一部が供給部の支持面から上方に離間する。このため、ユーザによって排出部の対向端部と供給部の支持面との間に挿入されるシートが排出部の対向端部に引っ掛かり難くなる。よって、排出部の対向端部と供給部の支持面との間隔を狭くし、装置の高さ方向を小型化した場合であっても、ユーザが供給部にシートをセットする作業を良好に行うことができる。
【００１０】
したがって、本発明のシート搬送装置では、上下方向の小型化を実現できるとともに、供給部にシートをセットする作業を容易に実施できる。
【図面の簡単な説明】
【００１１】
【図１】実施例１の画像読取装置の斜視図である。
【図２】実施例１の画像読取装置の模式正面図である。
【図３】実施例１の画像読取装置に係り、サブトレイを展開した状態を示す部分斜視図である。
【図４】実施例１の画像読取装置の部分断面図である。
【図５】実施例１の画像読取装置の部分断面図である。
【図６】実施例１の画像読取装置に係り、ガイド部及び揺動部を示す上面図である。
【図７】実施例１の画像読取装置に係り、ガイド部及び揺動部を主に示す部分斜視図である。
【図８】実施例１の画像読取装置に係り、ガイド部及び揺動部を主に示す部分断面図である。
【図９】実施例１の画像読取装置に係り、揺動部の作用を説明する部分断面図である。
【図１０】実施例２の画像読取装置に係り、サブトレイを展開した状態を示す部分斜視図である。
【図１１】実施例２の画像読取装置に係り、ガイド部及び揺動部を主に示す部分断面図である。
【図１２】実施例２の画像読取装置に係り、ガイド部及び揺動部を主に示す部分斜視図である。
【図１３】実施例２の画像読取装置に係り、ガイド部及び揺動部を主に示す部分断面図である。
【図１４】実施例２の画像読取装置に係り、揺動部の作用を説明する部分断面図である。
【発明を実施するための形態】
【００１２】
以下、本発明を具体化した実施例１、２について、図面を参照しつつ説明する。
【００１３】
（実施例１）
図１に示すように、実施例１の画像読取装置１は、本発明の画像読取装置の具体的態様の一例である。図１では、操作パネル８Ｐが配置される側を装置の前方と規定し、操作パネル８Ｐに向かった場合に左手に来る側を左方と規定して、前後、左右及び上下の各方向を表示する。そして、図２以降の各図に示す各方向は、全て図１に示す各方向に対応させて表示する。以下、図１等に基づいて、画像読取装置１が備える各構成要素について説明する。
【００１４】
＜全体構成＞
図１〜図５に示すように、画像読取装置１は、本体部８、開閉部９、画像形成ユニット５、読取ユニット３、搬送部４、供給部９１及び排出部９５を備えている。本体部８は、扁平な略箱状体である。図１に示すように、本体部８の前面には、タッチパネル等である操作パネル８Ｐが設けられている。
【００１５】
図２に示すように、画像形成ユニット５は、本体部８内の下部分に収容されている。画像形成ユニット５は、インクジェット方式又はレーザ方式等によりシートに画像を形成する。読取ユニット３は、本体部８内の上部分に収容されている。読取ユニット３は、原稿の画像を読み取る際に使用される。図２〜図５に示すように、搬送部４、供給部９１及び排出部９５は、開閉部９に設けられている。図２及び図４に示すように、搬送部４は、供給部９１に載置された複数枚のシートＳＨを搬送経路Ｐ１に沿って順次搬送しながら、シートＳＨの画像を読取ユニット３に読み取らせる際に使用される。画像が読み取られたシートＳＨは、搬送部４によって排出部９５に排出される。
【００１６】
図４に示すように、本体部８の上面には、第１プラテンガラス４１及び第２プラテンガラス４２が配設されている。第１プラテンガラス４１の上面によって、原稿支持面４１Ａが形成されている。原稿支持面４１Ａは、静止した状態の原稿の画像を読取ユニット３が読み取る際に、その原稿を下から支持する。読取対象の原稿には、用紙、ＯＨＰシート等であるシートの他、書籍等が含まれる。第２プラテンガラス４２は、第１プラテンガラス４１の左に位置して前後方向に細長く延びている。第２プラテンガラス４２の上面によって、読取面４２Ａが形成されている。読取面４２Ａは、搬送部４によって１枚ずつ搬送されるシートＳＨの画像を読取ユニット３が読み取る際に、その搬送されるシートＳＨを下から案内する。
【００１７】
なお、本実施例においては、原稿支持面４１Ａを使用して画像が読み取られる対象を原稿と記載し、搬送部４により搬送しながら画像が読み取られる対象をシートＳＨと記載する。原稿とシートＳＨは、実質的に同じものであってもよい。
【００１８】
図１に示すように、開閉部９は、本体部８の後面の上端縁近傍に配設された図示しないヒンジによって、左右方向に延びる開閉軸心Ｘ９周りで揺動可能に支持されている。開閉部９は、図１〜図５に示す閉じた状態では、原稿支持面４１Ａを上方から覆っている。開閉部９は、図１に二点鎖線で示すように、その前端部が上方かつ後方に変位するように開閉軸心Ｘ９周りで揺動することにより、原稿支持面４１Ａを露出させる。これにより、ユーザは、読取対象の原稿を原稿支持面４１Ａに支持させることができる。
【００１９】
図４に示すように、読取ユニット３は、本体部８内の上部分に収容された読取センサ３Ｓと、図示しない走査機構とを有している。読取センサ３Ｓは、本発明の「読取部」の一例である。走査機構は、本体部８内において、読取センサ３Ｓを原稿支持面４１Ａ及び読取面４２Ａの下で左右方向に往復動させる。原稿支持面４１Ａに支持されている原稿の画像を読み取る場合には、読取センサ３Ｓが原稿支持面４１Ａの下を移動しながら読み取る。読取センサ３Ｓが読取面４２Ａの下で停止する位置は、静止読取位置である。シートＳＨを搬送部４によって搬送しながら画像を読み取る場合には、読取センサ３Ｓを静止読取位置に停止させる。読取センサ３Ｓとしては、ＣＩＳ（Ｃｏｎｔａｃｔ  Ｉｍａｇｅ  Ｓｅｎｓｏｒ）やＣＣＤ（Ｃｈａｒｇｅ  Ｃｏｕｐｌｅｄ  Ｄｅｖｉｃｅ）等の周知の画像読取センサが採用される。
【００２０】
図１及び図３〜図５に示すように、開閉部９は、基体２０、第１カバー９６、第２カバー９７及び第３カバー９８を含んでいる。また、開閉部９は、図４に示すように、案内部材７０を含んでいる。さらに、開閉部９は、図３〜図９に示すように、ガイド部６０、６０、延出部１０１、１０２及び揺動部１１０、１２０を含んでいる。
【００２１】
図３〜図５に示すように、基体２０は、フレーム部材やシュート部材や外装カバー等の複数の部材が組み合わされて構成されている。基体２０によって、搬送部４が支持されている。
【００２２】
図１及び図３〜図４に示すように、第１カバー９６は、開閉軸心Ｘ９６周りで開閉可能に基体２０に支持されている。開閉軸心Ｘ９６は、開閉部９の左端部に位置して、前後方向に延びている。開いた状態の第１カバー９６については、図示を省略する。図１及び図３〜図５に示すように、第２カバー９７は、開閉軸心Ｘ９７周りで開閉可能に基体２０に支持されている。第２カバー９７は、本発明の「支持部」の一例である。開閉軸心Ｘ９７は、開閉部９の右寄りの部分に位置して、開閉軸心Ｘ９６と平行に延びている。図１に示す第２カバー９７が閉じた位置は収容位置である。収容位置に変位した第２カバー９７は、排出部９５を上から覆う。一方、図３及び図５等に示す第２カバー９７が開いた位置は、支持位置である。支持位置に変位した第２カバー９７は、搬送部４に対して供給部９１及び排出部９５よりも右方に離れた位置にある。図１及び図３に示すように、第３カバー９８は、開閉軸心Ｘ９７よりも右の位置で、基体２０に支持されている。
【００２３】
図１に示すように、第１カバー９６に対して、収容位置にある第２カバー９７が右から隣接する。収容位置にある第２カバー９７に対して第３カバー９８が右から隣接する。第１カバー９６の上を向く面と、収容位置にある第２カバー９７の上を向く面と、第３カバー９８の上を向く面とによって、平坦な外装面９Ｓが構成される。外装面９Ｓは、基体２０の中央の凹んだ部分を上から覆い、基体２０の外枠部分と連続する面を形成する。
【００２４】
図３及び図５に示すように、第２カバー９７が支持位置にある状態では、第２カバー９７の外装面９Ｓとは反対側の面は上を向いて、補助支持面９７Ａを構成する。ここで、補助支持面９７Ａは、凹凸のない平滑面に限定されず、実質的にシートＳＨを支持可能な面となっていればよい。第２カバー９７が支持位置にある状態で、補助支持面９７Ａは、搬送部４に搬送されるシートＳＨを、供給部９１を構成する支持面９１Ａと共に支持し、かつ、搬送部４によって排出されるシートＳＨを、排出部９５を構成する延出部１０１、１０２及び揺動部１１０、１２０と共に支持する。
【００２５】
図４に示すように、第１カバー９６は、閉じた状態で、案内部材７０の案内面７０Ｇ、及び搬送部４の一部を構成する排出ローラ１２を上から覆う。図示は省略するが、第１カバー９６は、開いた状態で、排出ローラ１２から上方に離間して、案内部材７０の案内面７０Ｇ及び排出ローラ１２の上方を開放する。その結果、搬送経路Ｐ１上において詰まったシートＳＨの除去等、搬送部４の保守作業を実施できる。
【００２６】
第１カバー９６の外装面９Ｓとは反対側には、カバー案内面９６Ｇが形成されている。カバー案内面９６Ｇは、案内部材７０の案内面７０Ｇに上方から対向している。カバー案内面９６Ｇは、凹凸のない平滑面に限定されず、実質的にシートＳＨを案内可能な面となっていればよい。
【００２７】
図３〜図５に示すように、基体２０の中央の凹んだ部分には、支持面９１Ａが形成されている。支持面９１Ａの右端は、支持位置にある第２カバー９７における開閉軸心Ｘ９７に近い端縁に隣接している。支持面９１Ａは、開閉軸心Ｘ９７から左方に離間するように略水平に延在している。支持面９１Ａは、供給部９１を構成している。図２及び図９に示すように、支持面９１Ａは、搬送部４によって搬送されるシートＳＨを下から支持する。シートＳＨには、用紙やＯＨＰシート等が含まれる。支持面９１Ａの幅方向は、本実施例では、前後方向である。
【００２８】
図３に示すように、支持面９１Ａ上には、一対のガイド部６０、６０が設けられている。両ガイド部６０、６０は、支持面９１Ａにおける前方の位置と後方の位置とに配置されている。図４〜図９では、後方のガイド部６０のみを図示しているが、前方のガイド部６０は、図４〜図９の紙面手前に位置している。前方のガイド部６０は、後方のガイド部６０と勝手違いの略同一構成であるので、前方のガイド部６０の図示及び説明は簡略する。
【００２９】
両ガイド部６０、６０は、支持面９１Ａから上方向に突出する壁であって、前後方向において互いに対向しつつ、それぞれ左右方向に延びている。両ガイド部６０、６０は、支持面９１Ａ上を前後方向にスライド可能とされている。また、両ガイド部６０、６０は、図５等に示すラック＆ピニオン機構６９によって連結されている。両ガイド部６０、６０は、互いに接近又は離間することにより、供給部９１に支持されるサイズの異なる複数種類のシートＳＨを前後から挟む。こうして、両ガイド部６０、６０は、供給部９１上のシートＳＨの位置を支持面９１Ａの幅方向のセンター基準で位置決めする。
【００３０】
図３に示すように、前方の延出部１０１は、その前端部が前方のガイド部６０の上端部に接続している。後方の延出部１０２は、その後端部が後方のガイド部６０の上端部に接続している。延出部１０１、１０２は、前後方向において互いに接近する方向に延びている。前方の延出部１０１は、後方の延出部１０２と勝手違いの略同一構成であるので、前方の延出部１０１の図示及び説明は簡略する。
【００３１】
図３及び図５〜図７に示すように、延出部１０１、１０２は、支持面９１Ａとの間に所定の間隔を有して、略平板状に延在している。延出部１０１、１０２の左端部は、下向きに下り傾斜して、支持面９１Ａに接近している。
【００３２】
図３に示すように、前方の揺動部１１０は、前方の延出部１０１の一部によって構成されている。後方の揺動部１２０は、後方の延出部１０２の一部によって構成されている。前方の揺動部１１０は、後方の揺動部１２０と勝手違いの略同一構成であるので、前方の揺動部１１０の図示及び説明は簡略する。
【００３３】
より詳しくは、図６及び図７等に示すように、後方の延出部１０２には、凹部１０２Ｃと支持穴１０２Ｈとが形成されている。凹部１０２Ｃは、後方の延出部１０２の右端縁から左向きに略矩形状に切り欠かれており、後方のガイド部６０に隣接している。後方の延出部１０２における前方かつ右方の角部は、凹部１０２Ｃが形成されていることによって、後方のガイド部６０から離間している。図６に示すように、支持穴１０２Ｈは、後方の延出部１０２における前方かつ右方の角部に凹設されて、前後方向に延びる揺動軸心Ｘ１を規定している。後方のガイド部６０の上端部には、支持穴１０２Ｈと対をなして揺動軸心Ｘ１を規定する支持穴６０Ｈが凹設されている。すなわち、支持穴１０２Ｈと支持穴６０Ｈとは、上下方向に同じ高さで、前後方向に同一直線上に位置している。
【００３４】
図３に示すように、前方の延出部１０１には、凹部１０２Ｃと同様に、凹部１０１Ｃが形成されている。また、図示は省略するが、前方のガイド部６０及び延出部１０１には、支持穴６０Ｈ、１０２Ｈと同様に、揺動軸心Ｘ１を規定する支持穴が形成されている。
【００３５】
図６及び図７等に示すように、後方の揺動部１２０は、前方かつ右方の角部が斜めに切り落された略矩形状の平板部材である。図６に示すように、後方の揺動部１２０には、前後一対の軸部１２０Ｊが凸設されている。前方の軸部１２０Ｊが後方の延出部１０２の支持穴１０２Ｈに挿入され、後方の軸部１２０Ｊが後方のガイド部６０の支持穴６０Ｈに挿入されている。これにより、図３及び図５〜図９に示すように、後方の揺動部１２０は、揺動軸心Ｘ１周りで揺動可能に後方のガイド部６０と後方の延出部１０２とに支持されている。
【００３６】
図３に示すように、前方の揺動部１１０は、後方かつ右方の角部が斜めに切り落された略矩形状の平板部材である。図示は省略するが、前方の揺動部１１０にも、後方の揺動部１２０と同様に、前後一対の軸部が凸設され、それらの軸部が前方のガイド部６０及び延出部１０１に形成された支持穴に挿入されている。これにより、前方の揺動部１１０は、揺動軸心Ｘ１周りで揺動可能に前方のガイド部６０と前方の延出部１０１とに支持されている。
【００３７】
図３、図６及び図７等に示すように、後方の揺動部１２０は、第１部分１２１と第２部分１２２とを有している。第１部分１２１は、搬送部４に対して揺動軸心Ｘ１よりも接近した部分、つまり、揺動軸心Ｘ１よりも左に位置する部分である。第２部分１２２は、搬送部４に対して揺動軸心Ｘ１よりも離れた部分、つまり、揺動軸心Ｘ１よりも右に位置する部分である。第１部分１２１の左右方向の長さが第２部分１２２の左右方向の長さよりも大きいことにより、第１部分１２１が第２部分１２２よりも重く設定されている。
【００３８】
図３に示すように、前方の揺動部１１０も、後方の揺動部１２０と同様に、第１部分１１１と第２部分１１２とを有している。第１部分１１１は、搬送部４に対して揺動軸心Ｘ１よりも接近した部分、つまり、揺動軸心Ｘ１よりも左に位置する部分である。第２部分１１２は、搬送部４に対して揺動軸心Ｘ１よりも離れた部分、つまり、揺動軸心Ｘ１よりも右に位置する部分である。第１部分１１１の左右方向の長さが第２部分１１２の左右方向の長さよりも大きいことにより、第１部分１１１が第２部分１１２よりも重く設定されている。
【００３９】
図３及び図５〜図９に示すように、後方の揺動部１２０の第２部分１２２は、対向端部１２０Ｅを含んでいる。後方の対向端部１２０Ｅは、排出部９５のうち、搬送部４から最も離れた位置にあって前後方向に延びる端部である。より詳しくは、後方の対向端部１２０Ｅは、後方の揺動部１２０の右端で前後方向に延びる端縁である。図５及び図８に示すように、後方の対向端部１２０Ｅは、支持面９１Ａとの間に間隔Ｗ１を有して上方から支持面９１Ａに対向している。後方の揺動部１２０は、後方の対向端部１２０Ｅと支持面９１Ａとの間隔Ｗ１を広げる方向Ｒ１に、換言すると、間隔Ｗ１を図５に示すＷ１＝Ｗ０から、図８に示すＷ１＞Ｗ０にするように、揺動軸心Ｘ１周りに揺動可能である。
【００４０】
図３に示すように、前方の揺動部１１０の第２部分１１２は、対向端部１１０Ｅを含んでいる。前方の対向端部１１０Ｅは、後方の対向端部１２０Ｅと同様に、排出部９５のうち、搬送部４から最も離れた位置にあって前後方向に延びる端部である。より詳しくは、前方の対向端部１１０Ｅは、前方の揺動部１１０の右端で前後方向に延びる端縁である。図示は省略するが、前方の対向端部１１０Ｅは、後方の対向端部１２０Ｅと同様に、支持面９１Ａとの間に間隔Ｗ１を有して上方から支持面９１Ａに対向している。前方の揺動部１１０は、後方の揺動部１２０と同様に、前方の対向端部１１０Ｅと支持面９１Ａとの間隔Ｗ１を広げる方向Ｒ１に、揺動軸心Ｘ１周りに揺動可能である。
【００４１】
図８に示すように、搬送部４が作動しておらず、支持面９１ＡがシートＳＨを支持していない待機状態では、第１部分１１１、１２１が第２部分１１２、１２２よりも重く設定されていることにより、揺動部１１０、１２０が第１位置にある。第１位置とは、第２部分１１２、１２２が対向端部１１０Ｅ、１２０Ｅと支持面９１Ａとの間隔Ｗ１を広げる方向Ｒ１に揺動すると共に、第１部分１１１、１２１が供給部９１の支持面９１Ａに接近する方向に揺動する位置である。図７及び図９も、揺動部１１０、１２０が第１位置にある状態を示している。
【００４２】
図５及び図６等に示すように、前後のガイド部６０、６０には、規制部６０Ｋが設けられている。規制部６０Ｋは、ガイド部６０、６０における下方の位置であって、支持面９１Ａに支持されるシートＳＨに干渉しない位置から支持面９１Ａの中央に向けて突出している。揺動部１１０、１２０が図８等に示す第１位置にある状態では、規制部６０Ｋが揺動部１１０、１２０の第１部分１１１、１２１の左端の角部に下から当接する。これにより、揺動部１１０、１２０は、第１部分１１１、１２１の第１位置への揺動量が規制される。本実施例では、揺動部１１０、１２０が図８等に示す第１位置にある状態では、規制部６０Ｋを設けたことによって、第１部分１１１、１２１の左端が支持面９１Ａよりも低くなることはない。このため、第１部分１１１、１２１が第１位置にある場合でも、ガイド部６０、６０のスライドは阻害されないように構成されている。
【００４３】
図３及び図５〜図９に示すように、揺動部１１０、１２０の第１部分１１１、１２１のそれぞれの左端で前後方向に延びる端縁部は、当接部１０９とされている。図９に示すように、当接部１０９は、供給部９１に支持されるシートＳＨが図４に示す供給ローラ１５に向けて差し込まれる際、そのシートＳＨに当接することにより、押し上げられる。これにより、当接部１０９は、第１部分１１１、１２１を第１位置よりも支持面９１Ａから離間させる位置である第２位置に向かって、つまり、方向Ｒ１とは逆方向に揺動させる。第２位置は、図５に示す揺動部１１０、１２０の位置である。
【００４４】
図５等に示すように、揺動部１１０、１２０は、対向面１０８を含んでいる。対向面１０８は、第１部分１１１、１２１及び第２部分１２１、１２２の下を向く面であり、支持面９１Ａに対向している。対向面１０８における対向端部１１０Ｅ、１２０Ｅの近傍には、傾斜面１０７が形成されている。傾斜面１０７は、搬送部４に接近するにつれて支持面９１Ａに接近するように、つまり、左に向かって下り傾斜するようになだらかに延びている。
【００４５】
図４に示すように、基体２０には、傾斜面２０Ｂ、切欠部２０Ｃ、下湾曲案内面２０Ｄ及び押圧部材支持部２９が形成されている。傾斜面２０Ｂは、支持面９１Ａより左に位置して支持面９１Ａに連続し、左に向かって下り傾斜している。切欠部２０Ｃは、傾斜面２０Ｂの左で前後方向に細長い矩形状に切り欠かれている。下湾曲案内面２０Ｄは、切欠部２０Ｃの左に位置し、左に向かって湾曲しつつ上り傾斜している。押圧部材支持部２９は、切欠部２０Ｃの上に位置して前後方向に細長く延び、切欠部２０Ｃを前後方向において跨いでいる。
【００４６】
押圧部材支持部２９の下には、押圧部材３９が配設されている。押圧部材３９は、上下方向に変位可能に押圧部材支持部２９に支持されている。押圧部材支持部２９と押圧部材３９との間には、圧縮コイルバネ３８が配設されている。開閉部９が閉じた状態において、押圧部材３９は、切欠部２０Ｃを介して、第２プラテンガラス４２の読取面４２Ａに対向する。圧縮コイルバネ３８は、押圧部材３９を読取面４２Ａに向けて付勢する。
【００４７】
案内部材７０は、ガイド部６０、６０の左端よりもさらに、左に設けられている。案内部材７０は、支持面９１Ａの左部分、傾斜面２０Ｂ、切欠部２０Ｃ及び押圧部材支持部２９に対して間隔を有して上方に位置しており、前後方向及び左右方向に延びている。図示は省略するが、案内部材７０の前端部と後端部とが基体２０に固定されることにより、案内部材７０は、前後方向において支持面９１Ａの左部分を跨いだ状態で、基体２０に組み付けられている。
【００４８】
図４及び図５に示すように、案内部材７０の略水平に延在する上面は、案内面７０Ｇとされている。案内面７０Ｇは、延出部１０１、１０２に左から隣接している。案内部材７０の案内面７０Ｇと、延出部１０１、１０２及び揺動部１１０、１２０とは、排出部９５を構成している。排出部９５は、供給部９１に対して上方に位置している。図２及び図９に示すように、排出部９５には、搬送部４によって搬送され、読取センサ３Ｓによって画像が読み取られたシートＳＨが排出される。
【００４９】
図４に示すように、第１カバー９６の排出ローラ１２と対向する範囲には、上湾曲案内面９６Ｄが形成されている。上湾曲案内面９６Ｄは、基体２０の下湾曲案内面２０Ｄに接続し、右に向かって湾曲しつつ上り傾斜している。
【００５０】
基体２０、案内部材７０及び第１カバー９６によって、図２及び図４に示す搬送経路Ｐ１が規定されている。より詳しくは、搬送経路Ｐ１は、下経路ＰＢ１と湾曲経路ＰＣ１と上経路ＰＡ１とを含んでいる。
【００５１】
図４に示すように、下経路ＰＢ１は、支持面９１Ａから、傾斜面２０Ｂに沿って左に向かって下り傾斜し、第２プラテンガラス４２の読取面４２Ａの上を通過する。この際、案内部材７０の下面、案内部材７０の下面から下向きに延びるリブ及び押圧部材３９の下面等も、下経路ＰＢ１を上から規定する。下経路ＰＢ１では、シートＳＨの搬送方向は左向きである。
【００５２】
湾曲経路ＰＣ１は、下経路ＰＢ１と接続する。そして、湾曲経路ＰＣ１は、基体２０の下湾曲案内面２０Ｄ及び第１カバー９６の上湾曲案内面９６Ｄに沿って上向きにＵターンして、シートＳＨの搬送方向を右向きに変更し、上経路ＰＡ１に接続する。
【００５３】
下湾曲案内面２０Ｄ及び上湾曲案内面９６Ｄは、湾曲経路ＰＣ１を湾曲の外側から規定する。また、排出ローラ１２の外周面は、湾曲経路ＰＣ１を湾曲の内側から規定する。ここで、湾曲の外側とは、排出ローラ１２の外周面から径外方向に離間する側であり、湾曲の内側とは、排出ローラ１２の軸心側である。
【００５４】
上経路ＰＡ１は、案内部材７０の案内面７０Ｇに案内されて右方に進み、延出部１０１、１０２及び揺動部１１０、１２０の上に至る。この際、第１カバー９６のカバー案内面９６Ｇは、搬送経路Ｐ１を挟んで案内面７０Ｇと対向し、上経路ＰＡ１を上から規定する。カバー案内面９６Ｇは、案内面７０Ｇとともに、搬送されるシートＳＨに対して接触しつつ、そのシートＳＨを案内し、さらに、延出部１０１、１０２及び揺動部１１０、１２０の上面に向けて案内する。
【００５５】
こうして、搬送経路Ｐ１は、供給部９１に載置されたシートＳＨを読取センサ３Ｓに案内し、さらに排出部９５へと導くようになっている。なお、本実施例では、シートＳＨの搬送方向に直交する幅方向は、前後方向である。
【００５６】
搬送部４は、供給ローラ１５と、分離ローラ１６と、分離パッド１６Ａとを有している。供給ローラ１５と分離ローラ１６とは、基体２０に回転可能に支持され、基体２０の支持面９１Ａの左部分に自己の上部分を露出させている。分離ローラ１６は、搬送経路Ｐ１の下経路ＰＢ１における供給ローラ１５より下流に位置している。
【００５７】
分離バッド１６Ａは、分離ローラ１６に対して下経路ＰＢ１を挟んで上方に位置している。分離バッド１６Ａは、案内部材７０に変位可能に支持され、分離ローラ１６に向けて押圧されている。
【００５８】
供給ローラ１５及び分離ローラ１６は、支持面９１Ａに支持されるシートＳＨに対して下から当接しつつ回転し、搬送経路Ｐ１の下経路ＰＢ１に送り出す。この際、分離ローラ１６及び分離パッド１６Ａは、そのシートＳＨが複数枚重なっていれば１枚ずつに分離する。
【００５９】
また、搬送部４は、搬送ローラ１１、第１ピンチローラ１１Ｐ、排出ローラ１２、第２ピンチローラ１２Ｐ及び排出ピンチローラ１３を有している。
【００６０】
搬送ローラ１１は、傾斜面２０Ｂに上から対向する位置で、案内部材７０に回転可能に支持されている。第１ピンチローラ１１Ｐは、基体２０に回転可能に支持されて、その上部分を傾斜面２０Ｂから露出させている。第１ピンチローラ１１Ｐは、搬送ローラ１１に向けて押圧されている。
【００６１】
排出ローラ１２は、下湾曲案内面２０Ｄ及び上湾曲案内面９６Ｄより右の位置で、回転可能に基体２０に支持されている。排出ローラ１２の外周面は、下湾曲案内面２０Ｄに対して搬送経路Ｐ１の湾曲経路ＰＣ１を挟んで上方かつ右方から対向している。また、排出ローラ１２の外周面は、第１カバー９６の上湾曲案内面９６Ｄに対して搬送経路Ｐ１の湾曲経路ＰＣ１を挟んで下方かつ右方から対向している。
【００６２】
第２ピンチローラ１２Ｐは、基体２０に回転可能に支持され、その上部分を下湾曲案内面２０Ｄから露出させている。第２ピンチローラ１２Ｐは、排出ローラ１２に向けて押圧されている。
【００６３】
排出ピンチローラ１３は、第１カバー９６における上湾曲案内面９６Ｄの近傍に回転可能に支持され、排出ローラ１２に向けて押圧されている。
【００６４】
搬送ローラ１１及び第１ピンチローラ１１Ｐは、供給ローラ１５及び分離ローラ１６によって搬送経路Ｐ１に送り出されたシートＳＨを切欠部２０Ｃに向けて搬送し、第２プラテンガラス４２の読取面４２Ａと押圧部材３９の下面との間を、すなわち、静止読取位置にある読取センサ３Ｓの上を通過させる。
【００６５】
排出ローラ１２、第２ピンチローラ１２Ｐ及び排出ピンチローラ１３は、読取センサ３Ｓの上を通過したシートＳＨを湾曲経路ＰＣ１において上向きにＵターンするように搬送する。この際、湾曲経路ＰＣ１を通過するシートＳＨに対して、下湾曲案内面２０Ｄ及び上湾曲案内面９６ＤがシートＳＨに湾曲の外側から当接し、そのシートＳＨを湾曲させながら案内する。そして、排出ローラ１２及び排出ピンチローラ１３は、湾曲経路ＰＣ１を通過したシートＳＨを上経路ＰＡ１において搬送し、排出部９５に排出する。そして、そのシートＳＨは、排出部９５としての案内面７０Ｇ、延出部１０１、１０２及び揺動部１１０、１２０の上に排出される。つまり、案内面７０Ｇは、シートＳＨの案内と、シートＳＨの積載とを兼ねている。
【００６６】
＜画像読取動作＞
この画像読取装置１では、原稿支持面４１Ａに支持された原稿の画像を読み取る場合、読取ユニット３において図示しない走査機構が作動し、読取センサ３Ｓを原稿支持面４１Ａの左端縁の下から右端縁の下までの間で左右方向に移動させる。これにより、読取センサ３Ｓは、原稿支持面４１Ａに支持された原稿の画像を読み取る。その後、図示しない走査機構は、読み取りを終えた読取センサ３Ｓを読取ユニット３内における右端から左端に移動させ、元の位置に復帰させる。
【００６７】
また、この画像読取装置１では、供給部９１としての支持面９１Ａに支持される複数枚のシートＳＨの画像を読み取る場合、図９に示すように、まず、ユーザによって支持面９１Ａ上にシートＳＨをセットする作業が行われる。この際、シートＳＨの先端は、支持面９１Ａ上を滑りながら、延出部１０１、１０２及び揺動部１１０、１２０の下を通過し、図４に示す供給ローラ１５に接触する位置まで差し入れられる。ここで、揺動部１１０、１２０が第１位置にあって、揺動部１１０、１２０の対向端部１１０Ｅ、１２０Ｅと支持面９１Ａとの間隔Ｗ１がＷ０よりも広げられているので、シートＳＨの先端が対向端部１１０Ｅ、１２０Ｅに引っ掛かり難く、スムーズにシートＳＨをセットできる。また、シートＳＨの先端は、当接部１０９に当接し、当接部１０９を押し上げながら、供給ローラ１５の近傍まで挿入される。すなわち、供給部９１へシートＳＨがセットされることで、揺動部１１０、１２０が、図５に示す第２位置に向かって揺動する。
【００６８】
次に、読取ユニット３において、図示しない走査機構が作動し、読取センサ３Ｓを読取面４２Ａの下方の静止読取位置に停止させる。その後、搬送部４が支持面９１Ａ及び補助支持面９７Ａに支持されるシートＳＨを搬送経路Ｐ１に沿って順次搬送すると、そのシートＳＨが読取面４２Ａに接触しながら静止読取位置にある読取センサ３Ｓの上を通過するので、読取センサ３Ｓは、その通過するシートＳＨの画像を読み取る。搬送部４は、画像が読み取られたシートＳＨを順次排出部９５に搬送し、排出部９５を構成する案内面７０Ｇ、延出部１０１、１０２及び揺動部１１０、１２０の上に積載する。
【００６９】
この際、図９に示すように、支持面９１Ａに支持されたシートＳＨの先端が当接部１０９に当接して押し上げていることにより、揺動部１１０、１２０の第１部分１１１、１２１が第１位置よりも支持面９１Ａから離間する第２位置に向かって、つまり、方向Ｒ１とは逆方向に揺動する。また、排出されて揺動部１１０、１２０の第２部分１１２、１２２に乗り上げるシートＳＨの重さによっても、揺動部１１０、１２０が方向Ｒ１とは逆方向に揺動する。その結果、排出部９５へのシートＳＨの排出を揺動部１１０、１２０の第２部分１１２、１２２が阻害し難い。
【００７０】
＜作用効果＞
実施例１の画像読取装置１では、図９に示すように、供給部９１にシートＳＨをセットする作業が実施される際、揺動部１１０、１２０は、第１部分１１１、１２１が第２部分１１２、１２２よりも重く設定されていることにより、対向端部１１０Ｅ、１２０Ｅと供給部９１の支持面９１Ａとの間隔Ｗ１を広げる方向Ｒ１に揺動した状態となっている。これにより、揺動部１１０、１２０の対向端部１１０Ｅ、１２０Ｅが支持面９１Ａから上方に離間する。このため、ユーザによって対向端部１１０Ｅ、１２０Ｅと供給部９１の支持面９１Ａとの間に挿入されるシートＳＨが対向端部１１０Ｅ、１２０Ｅに引っ掛かり難くなる。一方、供給部９１にシートＳＨをセットする作業が実施されない状態では、揺動部１１０、１２０が揺動しないようにすることができる。例えば、収容位置に変位した第２カバー９７に、揺動部１１０、１２０の第２部分１１２、１２１が当て止まることにより、間隔Ｗ１＝Ｗ０の状態で、揺動部１１０、１２０の方向Ｒ１の揺動を規制することができる。これより、排出部９５の対向端部１１０Ｅ、１２０Ｅと供給部９１の支持面９１Ａとの間隔Ｗ１が広がらないようにできるので、開閉部９について、上下方向の小型化を実現できる。
【００７１】
したがって、実施例１の画像読取装置１では、上下方向の小型化を実現できるとともに、供給部９１の支持面９１ＡにシートＳＨをセットする作業を容易に実施できる。
【００７２】
また、この画像読取装置１では、図６及び図７等に示すように、揺動部１１０、１２０は、ガイド部６０、６０の上端部に接続された延出部１０１、１０２の一部によって構成され、揺動軸心Ｘ１周りで揺動可能に、延出部１０１、１０２及びガイド部６０、６０に支持されている。この構成によれば、揺動部１１０、１２０及びその周辺の構成を簡素化でき、製造コストの低廉化を実現できる。
【００７３】
さらに、この画像読取装置１では、排出部９５の対向端部１１０Ｅ、１２０Ｅが支持面９１Ａ上の前方の位置と後方の位置とで、支持面９１Ａから上方に離間するので、支持面９１ＡにシートＳＨをセットする作業を一層容易に実施できる。
【００７４】
また、この画像読取装置１では、図３等に示すように、揺動部１１０、１２０が第１部分１１１、１２１と第２部分１１２、１２２と、を有している。そして、図９に示すように、供給部９１にシートＳＨをセットすると同時に、そのシートＳＨに第１部分１１１、１２１のそれぞれの当接部１０９が押し上げられて、第１部分１１１、１２１が図９に示す第１位置から図５に示す第２位置に向かって揺動する。その結果、第１部分１１１、１２１と一体である第２部分１１２、１２２が排出部９５の対向端部１１０Ｅ、１２０Ｅと供給部９１の支持面９１Ａとの間隔Ｗ１を広げる方向Ｒ１とは逆方向に揺動するので、排出部９５へのシートＳＨの排出を揺動部１１０、１２０の第２部分１１２、１２２が阻害し難い。
【００７５】
さらに、この画像読取装置１では、揺動部１１０、１２０において、第１部分１１１、１２１が第２部分１１２、１２２よりも重く設定されている。これにより、搬送部４が作動しておらず、支持面９１ＡがシートＳＨを支持していない待機状態で、揺動部１１０、１２０の自重によって、図８等に示すように、第２部分１１２、１２２が排出部９５の対向端部１１０Ｅ、１２０Ｅと供給部９１の支持面９１Ａとの間隔Ｗ１を広げる方向Ｒ１に揺動すると共に、第１部分１１１、１２１が第１位置にある状態にできる。また、図９に示すように、排出されるシートＳＨが揺動部１１０、１２０の第２部分１１２、１２２に乗り上げると、そのシートＳＨの重さによって、揺動部１１０、１２０の第２部分１１２、１２２が排出部９５の対向端部１１０Ｅ、１２０Ｅと供給部９１の支持面９１Ａとの間隔Ｗ１を広げる方向Ｒ１とは逆方向に揺動するので、排出部９５へのシートＳＨの排出を揺動部１１０、１２０の第２部分１１２、１２２が阻害し難い。さらに、揺動部１１０、１２０及びその周辺の構成を簡素化でき、製造コストの低廉化を実現できる。
【００７６】
また、この画像読取装置１では、図６及び図８等に示すように、規制部６０Ｋが揺動部１１０、１２０に当接することにより、第１部分１１１、１２１の第１位置への揺動量を規制する。これにより、第１部分１１１、１２１の当接部１０９と支持面９１Ａとの相対関係を好適な範囲に維持できる。また、第１部分１１１、１２１の当接部１０９が支持面９１Ａよりも低くなってガイド部６０、６０に干渉することによりガイド部６０、６０の前後方向のスライドが阻害される不具合を抑制できる。
【００７７】
さらに、この画像読取装置１では、図５等に示すように、揺動部１１０、１２０の対向面１０８における対向端部１１０Ｅ、１２０Ｅの近傍には、搬送部４に接近するにつれて供給部９１に接近するように延びる傾斜面１０７が形成されている。この傾斜面１０７により、図９に示すように、供給部９１にシートＳＨをセットする作業を実施する際に、シートＳＨが揺動部１１０、１２０の対向面１０８に引っ掛かり難くなる。
【００７８】
また、この画像読取装置１では、図３及び図９等に示すように、支持位置に変位した第２カバー９７が供給部９１及び排出部９５を補助するので、搬送されるシートＳＨ及び排出されるシートＳＨを好適に支持できる。
【００７９】
さらに、この画像読取装置１では、第２カバー９７は、図１に示すように、排出部９５を上から覆う収容位置と、図３等に示すように、シートＳＨを支持可能な支持位置との間で変位可能に構成されている。これにより、装置を使用しない場合、第２カバー９７を収容位置に変位させて排出部９５を上から覆う状態にすることができる。この際、排出部９５の対向端部１１０Ｅ、１２０Ｅと供給部９１の支持面９１Ａとの間隔Ｗ１を広げる方向Ｒ１とは逆方向に、つまり、図５に示す第２位置に、揺動部１１０、１２０が揺動することで、収容位置に変位した第２カバー９７を支持面９１Ａに接近させることができる。その結果、不使用状態において、上下方向の小型化を実現できる。
【００８０】
（実施例２）
図１０〜図１４に示すように、実施例２の画像読取装置では、実施例１に係る揺動部１１０、１２０を延出部１０１、１０２に設けず、また、延出部１０１、１０２に凹部１０１Ｃ、１０２Ｃを形成しないように変更されている。そして、実施例２の画像読取装置では、揺動部１１０、１２０の代わりに、前後方向に長く延在する略矩形状の板部材２１０を採用している。板部材２１０も、本発明の「揺動部」の一例である。実施例２の画像読取装置では、排出部９５は、案内面７０Ｇと、延出部１０１、１０２と、板部材２１０とによって構成されている。
【００８１】
図１０に示すように、実施例２の画像読取装置では、基体２０が一対の側壁９９Ａ、９９Ｂを備えている。両側壁９９Ａ、９９Ｂは、供給部９１の支持面９１Ａを前後から挟んで対向している。
【００８２】
図１０〜図１４に示すように、板部材２１０は、その左端部が前後方向に延びる揺動軸心Ｘ２周りで揺動可能に両側壁９９Ａ、９９Ｂに支持されている。揺動軸心Ｘ２は、延出部１０１、１０２の右端部に右から隣接する位置に配置されている。
【００８３】
板部材２１０は、対向端部２１０Ｅを含んでいる。板部材２１０は、排出部９５のうち、搬送部４から最も離れた位置にあって前後方向に延びる端部である。より詳しくは、対向端部２１０Ｅは、板部材２１０の右端で前後方向に延びる端縁である。
【００８４】
図１１に示すように、対向端部２１０Ｅは、支持面９１Ａとの間に間隔Ｗ２を有して上方から支持面９１Ａに対向している。板部材２１０は、対向端部２１０Ｅと支持面９１Ａとの間隔Ｗ２を広げる方向Ｒ１に、換言すると、間隔Ｗ２を図１１に示すＷ２＝Ｗ０から、図１３に示すＷ２＞Ｗ０にするように、揺動可能である。
【００８５】
図１０及び図１２に示すように、開閉部９には、アクチュエータＡ１が設けられている。本実施例では、アクチュエータＡ１は、複数のギヤ群及び間欠ギヤと、図示しない付勢バネとが組み合わされてなる。
【００８６】
アクチュエータＡ１は、搬送部４の停止時、駆動源Ｍ１と板部材２１０とを遮断し、板部材２１０の揺動を許容する。そして、アクチュエータＡ１は、図示しない付勢バネの付勢力により、図１２〜図１４に示すように、板部材２１０を揺動軸心Ｘ２周りで方向Ｒ１に揺動させる。その一方、アクチュエータＡ１は、搬送部４の作動時、搬送部４の駆動源Ｍ１から板部材２１０に駆動力を間欠的に伝達して、図１０及び図１１に示すように、板部材２１０を揺動軸心Ｘ２周りで方向Ｒ１とは逆方向に揺動させる。なお、アクチュエータＡ１は、駆動源Ｍ１とは独立して作動するソレノイドやモータ等であってよい。
【００８７】
実施例２のその他の構成は、実施例１と同様である。このため、実施例１と同一の構成については、同一の符号を付して説明を省略又は簡略する。
【００８８】
上記構成である実施例２の画像読取装置では、図１２〜図１４に示すように、搬送部４の停止時、アクチュエータＡ１が図示しない付勢バネによって、対向端部２１０Ｅと支持面９１Ａとの間隔Ｗ２を広げる方向Ｒ１に板部材２１０を揺動させるので、供給部９１にシートＳＨをセットする作業を実施し易い。
【００８９】
また、この画像読取装置では、図１０及び図１１に示すように、搬送部４の作動時、アクチュエータＡ１が駆動源Ｍ１の駆動力を板部材２１０に伝達して、対向端部２１０Ｅと支持面９１Ａとの間隔Ｗ２を広げる方向Ｒ１とは逆方向に板部材２１０を揺動させる。このため、図１４に板部材２１０を二点鎖線で示すように、排出部９５へのシートＳＨの排出を板部材２１０が阻害し難い。
【００９０】
さらに、この画像読取装置では、アクチュエータＡ１によって、対向端部２１０Ｅと支持面９１Ａとの間隔Ｗ２を広げる方向Ｒ１とは逆方向に板部材２１０を揺動させた上で、装置を停止し、第２カバー９７に収容位置に変位させることにより、開閉部９について、上下方向の小型化を実現できる。
【００９１】
したがって、実施例２の画像読取装置では、実施例１の画像読取装置１と同様に、上下方向の小型化を実現できるとともに、供給部９１の支持面９１ＡにシートＳＨをセットする作業を容易に実施できる。
【００９２】
以上において、本発明を実施例１、２に即して説明したが、本発明は上記実施例１、２に制限されるものではなく、その趣旨を逸脱しない範囲で適宜変更して適用できることはいうまでもない。
【００９３】
例えば、揺動部は、延出部の全部であって、揺動軸心周りで揺動可能に、ガイド部に支持されていてもよい。また、支持部として、実施例１に係る第２カバー９７の代わりに、固定されたトレイを備える構成とし、シートが供給部にセットされていない状態では、常に、揺動部が第１位置にあるように構成してもよい。この場合、ユーザは、第２カバーを開放させる作業を行うことなく、直ちに、シートを供給部にセットすることができる。
【産業上の利用可能性】
【００９４】
本発明は例えば、画像読取装置、画像形成装置、複合機等に利用可能である。
【符号の説明】
【００９５】
１…シート搬送装置（画像読取装置）、ＳＨ…シート
９１Ａ…支持面、９１…供給部、９５…排出部、９７…支持部（第２カバー）
Ｐ１…搬送経路、４…搬送部、１１０、１２０、２１０…揺動部（２１０…板部材）
Ｗ１、Ｗ２…対向端部と支持面との間隔
１１０Ｅ、１２０Ｅ、２１０Ｅ…対向端部
Ｒ１…対向端部と支持面との間隔を広げる方向
６０…ガイド部、１０１、１０２…延出部、Ｘ１、Ｘ２…揺動軸心
９９Ａ、９９Ｂ…一対の側壁、Ａ１…アクチュエータ
１１１、１２１…第１部分、１１２、１２２…第２部分
１０９…当接部、６０Ｋ…規制部、１０８…対向面
１０７…傾斜面、３Ｓ…読取部（読取センサ）
【図１】
2017128404.tif 000003
【図２】
2017128404.tif 000004
【図３】
2017128404.tif 000005
【図４】
2017128404.tif 000006
【図５】
2017128404.tif 000007
【図６】
2017128404.tif 000008
【図７】
2017128404.tif 000009
【図８】
2017128404.tif 000010
【図９】
2017128404.tif 000011
【図１０】
2017128404.tif 000012
【図１１】
2017128404.tif 000013
【図１２】
2017128404.tif 000014
【図１３】
2017128404.tif 000015
【図１４】
2017128404.tif 000016